(57)【特許請求の範囲】
【請求項１】
着用者の甲側の部分を覆うインステップカバー部と、着用者の足裏を覆うソールカバー部と、を備えるシューズアッパーにおいて、
前記インステップカバー部と前記ソールカバー部とが無縫製で一体に編成されており、
シューズアッパーの踵および爪先の少なくとも一方の位置に、シューズアッパーの左側部分と右側部分とに跨がって形成されるポケット部を備え、
前記ポケット部は、前記インステップカバー部の一部で構成される外側編地部と、前記ソールカバー部に連続し、前記外側編地部の内側に入り込んだ内側編地部と、で構成され、
そのポケット部の開口部であるポケット口は、前記ソールカバー部の側に開口していることを特徴とするシューズアッパー。
【請求項２】
前記外側編地部は、前記インステップカバー部と前記ソールカバー部の境界位置から前記ソールカバー部側に突出する突出部を備えることを特徴とする請求項１に記載のシューズアッパー。
【請求項３】
着用者の甲側の部分を覆うインステップカバー部と、着用者の足裏を覆うソールカバー部と、を備えるシューズアッパーを製造するシューズアッパーの製造方法において、
少なくとも前後一対の針床を備える横編機を用いて、前記インステップカバー部と前記ソールカバー部とを無縫製で一体に編成する際、前記シューズアッパーの踵および爪先の少なくとも一方の位置で、前記シューズアッパーの左側部分と右側部分とに跨がり、前記ソールカバー部の側に開口するポケット部を編成することを特徴とするシューズアッパーの製造方法。
但し、
前記ポケット部は、前記インステップカバー部の一部で構成される外側編地部と、前記ソールカバー部に連続して、前記外側編地部の内側に入り込んだ内側編地部と、で構成され、
前記内側編地部の左側部分である内左部と、前記外側編地部の左側部分である外左部と、を一方の側の針床に付属させた状態で編成し、
前記内側編地部の右側部分である内右部と、前記外側編地部の右側部分である外右部と、を他方の側の針床に付属させた状態で編成し、
前記外左部を編成するときは、前記内左部を他方の側の針床に預けておき、
前記外右部を編成するときは、前記内右部を一方の側の針床に預けておく。
【請求項４】
前記外側編地部を編成する際、前記インステップカバー部と前記ソールカバー部の境界位置から前記ソールカバー部側に突出する突出部を前記外側編地部に編成することを特徴とする請求項３に記載のシューズアッパーの製造方法。
【請求項５】
前記インステップカバー部のシューズ開口部から前記ソールカバー部の中央部に向かって編成する、あるいは前記中央部から前記シューズ開口部に向かって編成することを特徴とする請求項３または４に記載のシューズアッパーの製造方法。
但し、
前記内側編地部を編成する際は、編幅方向における前記ポケット部が設けられる側で前記内左部と前記内右部とを繋げ、
前記外側編地部を編成する際は、編幅方向における前記ポケット部が設けられる側で前記外左部と前記外右部とを繋げる。
【発明の詳細な説明】
【技術分野】
【０００１】
本発明は、踵もしくは爪先の位置に補強部材を収納するポケットを形成したシューズアッパー、およびそのシューズアッパーの製造方法に関する。
【背景技術】
【０００２】
シューズは、着用者の足裏を覆うソールカバー部と、着用者の甲側の部分を覆うインステップカバー部と、を有するシューズアッパーを備える。外履きのシューズでは、このシューズアッパーのソールカバー部に、合成樹脂などでできたアウターソールが取り付けられる。近年、シューズアッパーを構成するインステップカバー部とソールカバー部のうち、インステップカバー部を一枚の編地で構成し、生産性良くシューズを作製することが試みられている。例えば、特許文献１では、平面展開された状態のインステップカバー部を一枚の編地で作製し、それをインステップカバー部とは別に用意したソールカバー部と共に合成樹脂などでできたアウターソールに接合することで、シューズを完成させている。
【先行技術文献】
【特許文献】
【０００３】
【特許文献１】特表２０１０−５０８９９４号公報
【発明の概要】
【発明が解決しようとする課題】
【０００４】
しかし、特許文献１のシューズ（シューズアッパー）は、生産性の点で改善の余地がある。【０００５】
特許文献１では、一枚の編地を裁断してインステップカバー部を得るか、もしくは成型編みを行なうことでインステップカバー部を得ている。前者の場合、編地の裁断工程と、インステップカバー部を立体形状にするための縫製工程と、が必要である。後者の場合、裁断工程は必要ないものの、縫製工程が必要である。【０００６】
また、シューズは、その踵や爪先の位置に補強部を形成することがあり、特許文献１でも踵の位置にヒールカウンタ（補強部）を設けている。特許文献１では、樹脂などでできた補強部材を接着剤などでシューズアッパーの外側に取り付けることでヒールカウンタを形成している。しかし、ニット製品であるため変形し易いシューズアッパーに、変形し難い補強部材を取り付ける作業が煩雑で、その作業がシューズの生産性を低下させている。その他、特許文献１の技術には、シューズの使用時に補強部材が剥がれる可能性があるといった問題点もある。【０００７】
本発明は上記事情に鑑みてなされたものであり、本発明の目的の一つは、踵や爪先の位置に補強部を容易に形成することができる生産性に優れたシューズアッパー、およびそのシューズアッパーの製造方法を提供することにある。また、本発明の別の目的は、シューズアッパーの使用時に補強部材が剥がれる不具合が生じないシューズアッパー、およびそのシューズアッパーの製造方法を提供することにある。
【課題を解決するための手段】
【０００８】
本発明のシューズアッパーは、着用者の甲側の部分を覆うインステップカバー部と、着用者の足裏を覆うソールカバー部と、を備えるシューズアッパーである。このシューズアッパーのインステップカバー部とソールカバー部とは無縫製で一体に編成されており、シューズアッパーの踵および爪先の少なくとも一方の位置に、シューズアッパーの左側部分と右側部分とに跨がって形成されるポケット部を備える。この本発明のシューズアッパーに備わるポケット部は、インステップカバー部の一部で構成される外側編地部と、ソールカバー部に連続し、外側編地部の内側に入り込んだ内側編地部と、で構成されている。そして、そのポケット部の開口部であるポケット口は、ソールカバー部の側に開口していることを特徴とする。【０００９】
本発明のシューズアッパーとして、シューズアッパーに備わる外側編地部は、インステップカバー部とソールカバー部の境界位置からソールカバー部側に突出する突出部を備える形態を挙げることができる。【００１０】
一方、本発明のシューズアッパーの製造方法は、着用者の甲側の部分を覆うインステップカバー部と、着用者の足裏を覆うソールカバー部と、を備えるシューズアッパーを製造するシューズアッパーの製造方法である。この本発明のシューズアッパーの製造方法では、少なくとも前後一対の針床を備える横編機を用いて、インステップカバー部とソールカバー部とを無縫製で一体に編成する際、シューズアッパーの踵および爪先の少なくとも一方の位置で、シューズアッパーの左側部分と右側部分とに跨がり、ソールカバー部の側に開口するポケット部を編成することを特徴とする。但し、上記ポケット部は、インステップカバー部の一部で構成される外側編地部と、ソールカバー部に連続して、外側編地部の内側に入り込んだ内側編地部と、で構成されており、内側編地部の左側部分である内左部と、外側編地部の左側部分である外左部と、を一方の側の針床に付属させた状態で編成し、内側編地部の右側部分である内右部と、外側編地部の右側部分である外右部と、を他方の側の針床に付属させた状態で編成する。そして、外左部を編成するときは、内左部を他方の側の針床に預けておき、外右部を編成するときは、内右部を一方の側の針床に預けておく。【００１１】
なお、『外左部（外右部）を一方の側の針床（他方の側の針床）に付属させた状態で編成する』とは、主として一方の側の針床（他方の側の針床）に外左部（外右部）を係止させた状態で外左部（外右部）を編成することを示す。外左部（外右部）にリブ組織などの柄組織を編成する場合、外左部（外右部）の一部を他方の側の針床（一方の側の針床）に係止させた状態で編成しても良い。【００１２】
本発明のシューズアッパーの製造方法として、外側編地部を編成する際、インステップカバー部とソールカバー部の境界位置からソールカバー部側に突出する突出部を外側編地部に編成する形態を挙げることができる。【００１３】
本発明のシューズアッパーの製造方法として、インステップカバー部のシューズ開口部からソールカバー部の中央部に向かって編成する、あるいはソールカバー部の中央部からインステップカバー部のシューズ開口部に向かって編成する形態を挙げることができる。その場合、内側編地部を編成する際は、編幅方向におけるポケット部が設けられる側で内左部と内右部とを繋げ、外側編地部を編成する際は、編幅方向におけるポケット部が設けられる側で外左部と外右部とを繋げる。具体的には、踵の位置にポケット部を編成する場合、内左部（外左部）と内右部（外右部）とを、編幅方向の踵側で繋げる。また、爪先の位置でポケット部を編成する場合、内左部（外左部）と内右部（外右部）とを、編幅方向の爪先側で繋げる。もちろん、外側編地部を編成する際は、内側編地部が外側編地部に編み込まれないように逃がしておく。
【発明の効果】
【００１４】
踵および爪先の位置の少なくとも一方にポケット部を備える本発明のシューズアッパーは、ポケット部の位置に補強部を容易に形成することができ、生産性に優れる。シューズアッパーの生産性が良いのは、第一に、シューズアッパーを構成するインステップカバー部とソールカバー部とが一体に編成されているからである。第二に、ポケット部がシューズアッパーに一体に編成されているため、そのポケット部に補強部材を挿入してポケット部のポケット口を閉じるだけで、シューズアッパーに補強部を形成できるからである。しかも、ポケット部に補強部材を挿入する構成であれば、シューズアッパーに対する補強部材の位置決めが容易であるし、シューズアッパーの使用時に補強部材がシューズアッパーから剥がれるという問題も生じ得ない。【００１５】
ポケット部を構成する外側編地部に突出部を形成する、即ち外側編地部を長めに形成することで、ポケット部の内部に補強部材を収納させたときに、突出部でポケット口を閉じることができる。その結果、ポケット部の内部から補強部材が脱落することを効果的に抑制できる。また、シューズアッパーのソールカバー部にアウターソールを取り付ける際、ポケット部のポケット口を閉じるように突出部を折り曲げることで、アウターソールを取り付け易くなるし、シューズアッパーとアウターソールとの境界部の仕上がりを良くすることができる。【００１６】
一方、本発明のシューズアッパーの製造方法によれば、踵および爪先の位置の少なくとも一方にポケット部を備えるシューズアッパーを製造することができる。特に、インステップカバー部のシューズ開口部からソールカバー部の中央部に向かって編成する、あるいはソールカバー部の中央部からインステップカバー部のシューズ開口部に向かって編成する場合、複雑な目移しなどを行なうことなく、シューズアッパーを製造することができる。
【図面の簡単な説明】
【００１７】
【図１】（Ａ）は実施形態１に示すシューズアッパーの概略上面斜視図、（Ｂ）はそのシューズアッパーの概略下面斜視図である。
【図２】（Ａ）は編成方法Ｉの全体的な編成手順を示す模式図、（Ｂ）は（Ａ）のＢ−Ｂラインを編成する際の編成手順の一例を示す模式図、（Ｃ）は（Ａ）のＣ−Ｃラインを編成する際の編成手順の一例を示す模式図である。
【図３】編成方法Ｉに示すポケット部の編成工程図である。
【図４】編成方法ＩＩＩの編成手順を示す模式図である。
【図５】編成方法ＩＩＩに示すポケット部の編成工程図である。
【図６】実施形態２に示す突出部を有するポケット部の概略図である。
【発明を実施するための形態】
【００１８】
以下、本発明のシューズアッパーとその製造方法の実施形態を図面に基づいて説明する。シューズアッパーの製造には、少なくとも前後一対の針床を備え、前後の針床間で編目の目移しが可能な２枚ベッド横編機を用いた。もちろん、使用する横編機は、２枚ベッド横編機に限定されるわけではなく、例えば４枚ベッド横編機であっても良い。
【００１９】
＜実施形態１＞
≪全体構成≫
図１に示すシューズアッパー１は、着用者の足の甲側の部分を覆うインステップカバー部３と、着用者の足裏の部分を覆うソールカバー部２と、を備える。このシューズアッパー１をそのままシューズとして利用することもできるし、シューズアッパー１を構成するソールカバー部２の外側に樹脂などでできたアウターソール（図示せず）を取り付けて、シューズとしても構わない。
【００２０】
図１に示すシューズアッパー１は、以下の二点で従来のシューズアッパーと異なる。
［１］インステップカバー部３とソールカバー部２との間に繋ぎ目なく、無縫製で立体的に編成されている。
［２］シューズアッパー１の踵の位置に、シューズアッパー１を補強する補強部材を収納するポケット部４を備える。
【００２１】
上記インステップカバー部３とソールカバー部２とは、熱融着糸を含む融着編糸で編成することが好ましい。融着編糸を用いることで、シューズアッパー１を足型にはめて熱処理したときに、シューズアッパー１を立体的に成形することができる。もちろん、インステップカバー部３とソールカバー部２とを、熱融着糸を含まない非融着編糸で編成することもできるし、インステップカバー部３とソールカバー部２の一部を融着編糸で編成し、残部を非融着編糸で編成しても構わない。例えば、爪先や踵、足指の付け根のやや踵側の部分などを融着編糸で編成し、残部を非融着編糸で編成することなどを挙げることができる。
【００２２】
≪インステップカバー部≫
インステップカバー部３の上方にはシューズ開口部５が形成されている。シューズ開口部５は、着用者が足を挿入する履き口５ｉと、履き口５ｉから爪先側に向かって延びるスリット５ｓと、を備える。インステップカバー部３におけるスリット５ｓの位置には、靴紐を通す孔である鳩目孔（ｅｙｅｌｅｔ  ｈｏｌｅ）６０が形成されている。靴紐を用いないシューズであれば、鳩目孔は必要ない。
【００２３】
≪ソールカバー部≫
ソールカバー部２は、シューズアッパー１をそのままシューズとして利用する場合は、靴底となる部分である。ソールカバー部２の外側にアウターソールを取り付けるのであれば、ソールカバー部２は、シューズの中敷きとして機能する。いずれの形態であっても、ソールカバー部２は着用者の足裏の全面を覆う。
【００２４】
≪ポケット部≫
ポケット部４は、インステップカバー部３の踵側の一部で構成される外側編地部４０と、ソールカバー部２に連続して形成され、外側編地部４０の内部に入り込んだ内側編地部４９と、で構成されている。外側編地部４０と内側編地部４９とは、インステップカバー部３の左側部分と右側部分の踝近傍の位置（一点鎖線で示す接合ラインｂ１，ｂ３の位置）、および上記左側部分と右側部分に跨がる履き口５ｉ近傍の位置（一点鎖線で示す接合ラインｂ２の位置）で繋がっており、従ってポケット部４の開口部であるポケット口４ｉは、ソールカバー部２側に開口している。
【００２５】
ここで、本実施形態における接合ラインｂ１，ｂ３は、ソールカバー部２からシューズ開口部５に向かうに従って踵側に傾斜しているが、爪先側に傾斜していても良いし、シューズアッパー１の高さ方向に真っ直ぐに伸びていても良い、即ち踵側にも爪先側にも傾斜していなくても良い。
【００２６】
ポケット部４は、その内部に補強部材を収納する袋である。補強部材は、シューズアッパー１の踵を補強してシューズアッパー１の型崩れを防ぐと共に、着用者に対するシューズ（シューズアッパー１）のフィット性を向上させるヒールカウンタとして機能する。このような補強部材としては、例えば、着用者の踵の形状に沿った樹脂製の湾曲板材を挙げることができる。
【００２７】
ポケット部４に補強部材を挿入する構成であれば、ポケット部４に補強部材を挿入した時点でシューズアッパー１に対する補強部材の位置合わせが完了する。そのため、補強部材を用いた補強部（即ち、ヒールカウンタ）の形成が容易になるため、シューズアッパー１（シューズ）の生産性が向上する。また、ポケット部４に補強部材を挿入した後、ポケット部４のポケット口４ｉを閉じてしまえば、シューズアッパー１の使用時に補強部材がシューズアッパー１から脱落するという問題も生じない。さらに、ポケット部４に補強部材を挿入する構成では、補強部材が接着剤でシューズアッパー１に接着し難い材質であったとしても、シューズアッパー１に補強部材を取り付けることができる。
【００２８】
なお、シューズアッパー１の爪先の位置にポケット部４を形成しても良い。爪先にポケット部４を形成すれば、シューズアッパー１の爪先を補強することができ、それによって着用者の爪先を保護することもできる。もちろん、踵の位置と爪先の位置の両方にポケット部４を形成しても構わない。
【００２９】
≪シューズアッパーの製造方法≫
上記シューズアッパー１は、大略すると以下の四つの編成方法によって製造することができる。いずれの編成方法においても、シューズアッパー１の右側部分を横編機の一方の針床（前針床または後針床）、左側部分を他方の針床（後針床または前針床）に付属させた状態で編成することで製造する。
［編成方法Ｉ］…インステップカバー部３のシューズ開口部５の位置から編成を開始し、ソールカバー部２の中央部の位置で編成を終了する編成方法。
［編成方法ＩＩ］…ソールカバー部２の中央部の位置から編成を開始し、インステップカバー部３のシューズ開口部５の位置で編成を終了する編成方法。
［編成方法ＩＩＩ］…シューズアッパー１の爪先の位置から編成を開始し、踵の位置で編成を終了する編成方法。
［編成方法ＩＶ］…シューズアッパー１の踵の位置から編成を開始し、爪先の位置で編成を終了する編成方法。
【００３０】
上記四つの編成方法のうち、編成方法Ｉおよび編成方法ＩＩは、シューズアッパー１の高さ方向に編成が進行する編成方法であり、編成方法ＩＩＩおよび編成方法ＩＶは、シューズアッパー１の長さ方向に編成が進行する編成方法である。以下、各編成方法を順次説明する。
【００３１】
≪編成方法Ｉ；インステップカバー部→ソールカバー部≫
図２（Ａ）は、シューズアッパー１の右側部分の編成手順を示す模式図である。編成方法Ｉでは、図２（Ａ）に示す模式図の紙面下側から上側に向かって編成を行なう。シューズアッパー１の左側部分は、図２（Ａ）の紙面奥側に配置されていると考えて良い。シューズアッパー１の右側部分と左側部分は、紙面右側に配される踵の位置、および紙面左側に配される爪先の位置で繋がっている。なお、言うまでもないが、足の形状は左右非対称であるため、足の形状に合わせてシューズアッパー１の右側部分と左側部分の編幅などを変えることが好ましい。
【００３２】
（編成の概要）
図２（Ａ）に示す編成方法Ｉではまず、シューズアッパー１のシューズ開口部５となる部分を編成する。そして、一方の針床でインステップカバー部３の右側部分（以下、本体右部）を編成すると共に、他方の針床でインステップカバー部３の左側部分（以下、本体左部）を編成する。その編成にあたり、シューズアッパー１の立体形状に応じて、引き返し編成、Ｃ字状編成、および筒状編成を使い分け、本体右部と本体左部とが爪先の位置と踵の位置で繋がったインステップカバー部３を編成する。また、そのインステップカバー部３の編成の際、シューズアッパー１の踵の位置で本体右部と本体左部とに跨がるポケット部４を編成する。
【００３３】
ポケット部４を含む具体的なインステップカバー部３の編成手順を図２（Ｂ），図２（Ｃ）に示す模式図を用いて説明する。図２（Ｂ）は、図２（Ａ）のＢ−Ｂラインにおける編成手順の一例を示す模式図であり、図２（Ｃ）は、図２（Ａ）のＣ−Ｃラインにおける編成手順の一例を示す模式図である。これら図２（Ｂ），図２（Ｃ）では、前針床（ＦＢ）と後針床（ＢＢ）の上方から見たインステップカバー部３とポケット部４の付属状態と、各部の編成の順番と、が示されており、編成の方向は矢印で、編成の順番は四角で囲った数字で示されている。
【００３４】
シューズアッパー１の履き口５ｉ付近（図２（Ａ）のＢ−Ｂライン付近）では、図２（Ｂ）に示すように、インステップカバー部３の本体右部を踵側に向かって編成する（１番編成＝四角囲みの１番を参照）。インステップカバー部３の踵側の一部は、ポケット部４の外側編地部４０を兼ねており、従ってこの１番編成によって外側編地部４０の右側部分（外右部４０Ｒ）が編成される。次いで、インステップカバー部３の左側部分のうち、上記外側編地部４０の左側部分（外左部４０Ｌ）を爪先側に向かって編成する（２番編成）。これら１番編成と２番編成においては、内側編地部４９が外側編地部４０に編み込まれないように逃がしておく。この点については、後ほど図３の編成工程図を参照して詳しく説明する。この１番〜２番編成によって、外右部４０Ｒと外左部４０Ｌとが、編幅方向の踵側で繋がった状態で編成される。
【００３５】
次いで、踵側を折り返し端とするＣ字状編成によって、ポケット部４の内側編地部４９を編成する。具体的には、内側編地部４９の左側部分（内左部４９Ｌ）→内側編地部４９の右側部分（内右部４９Ｒ）→内右部４９Ｒ→内左部４９Ｌの順に編成を行なう（３〜６番編成）。このＣ字状編成によって、内右部４９Ｒと内左部４９Ｌとが、編幅方向の踵側で繋がった状態で編成される。
【００３６】
次いで、２番編成で途中まで編成した本体左部の残りを爪先側に向かって編成する（７番編成）。そして、本体左部を踵側に向かって編成し（８番編成）、本体右部を爪先側に向かって編成する（９番編成）。８番編成と９番編成においては、内側編地部４９が外側編地部４０に編み込まれないように逃がしておく。この８番〜９番編成によって、外右部４０Ｒと外左部４０Ｌとが、編幅方向の踵側で繋がった状態で編成される。
【００３７】
一方、シューズアッパー１の踵から爪先に至る本体部分（図２（Ａ）のＣ−Ｃラインを参照）では、図２（Ｃ）に示すように、編成すると良い。図２（Ｃ）の１番〜７番編成は、図２（Ｂ）と全く同じである。図２（Ｃ）の編成手順では、８番編成として、本体右部を踵側に向かって編成し、９番編成として、本体左部を爪先側に向かって編成している。つまり、この編成では、７番〜９番編成にかけてインステップカバー部３を筒状編成している。８番〜９番編成によっても、外右部４０Ｒと外左部４０Ｌとが、編幅方向の踵側で繋がった状態で編成される。
【００３８】
なお、図２（Ｂ），図２（Ｃ）に示す編成手順は、各部のウエール方向の編目数が同数となる編成手順である。もちろん、意図的に、各部のウエール方向の編目数を異ならせても良い。
【００３９】
（ポケット部の編成）
ポケット部４を編成する際の編目の形成状態を、図３の編成工程図に基づいて説明する。図３の編成工程図には、図２（Ｂ）におけるポケット部４に対応する部分の編成が示されており、紙面左側の一点鎖線はポケット部４の境界位置（図２（Ａ）の接合ラインｂ３に対応する位置）である。図３の左欄のアルファベット＋数字は編成工程の番号を示し、中欄は各編成工程における編目の係止状態を示す。中欄の下のアルファベットＡ〜Ｍは編針の位置を示す。また、右欄の左右方向の矢印は編成方向を、上下方向の矢印は目移しを示す。中欄における滴マークは内側編地部４９の編目を示し、丸マークは内側編地部４９以外の編目を示し、Ｖ字マークは掛け目を示す。なお、黒く塗り潰されたマークは、各編成工程で編成された編目を示す。
【００４０】
図３のＳ０には、インステップカバー部３の本体右部の編目が、ＦＢの編針Ｂ，Ｄ，Ｆ，Ｈ，Ｊ，Ｌに係止され、本体左部の編目が、ＢＢの編針Ａ，Ｃ，Ｅ，Ｇ，Ｉ，Ｋ，Ｍに係止された状態が示されている。つまり、インステップカバー部３は針抜き編成で編成されている。紙面右側に配置されるシューズアッパー１（図２参照）の踵側の位置で本体右部と本体左部とが繋がっており、その繋がりによって踵が形成される。この状態からポケット部４の編成を開始する。
【００４１】
Ｓ１では、Ｃ字状編成によって、Ｓ０に示す編目のウエール方向に続くインステップカバー部３の本体左部および本体右部を編成すると共に、ポケット部４の内側編地部４９の編出し部を編成する。ここで、ＦＢの編針Ｂ，Ｄ，Ｆ，Ｈ，Ｊ，Ｌに形成される編目は、インステップカバー部３の本体右部であると共に、ポケット部４を構成する外側編地部４０の外右部４０Ｒであり、ＢＢの編針Ｃ，Ｅ，Ｇ，Ｉ，Ｋ，Ｍに形成される編目は、インステップカバー部３の本体左部であると共に、外側編地部４０の外左部４０Ｌである。また、ＦＢの編針Ｃ，Ｇ，Ｋに形成される掛け目は、内側編地部４９の内右部４９Ｒの編出し部であり、ＢＢの編針Ｄ，Ｈ，Ｌに形成される掛け目は、内側編地部４９の内左部４９Ｌの編出しである。これらの掛け目は、図１，２の接合ラインｂ２に相当する。
【００４２】
以上説明したＳ１によって、編幅方向の踵側で繋がる外右部４０Ｒと外左部４０Ｌとが編成されると共に、外側編地部４０から内側編地部４９が分岐される。このＳ１における外右部４０Ｒと外左部４０Ｌの編成は、図２（Ｂ）の編成手順における１番〜２番編成に相当する。なお、Ｓ０の時点で内側編地部４９は未だ編成されていないため、外側編地部４０を編成する際に内側編地部４９を逃がす操作は必要ない。
【００４３】
Ｓ２では、Ｃ字状編成によって、ＢＢの編針Ｄ，Ｈ，Ｌで内左部４９Ｌを編成した後、ＦＢの編針Ｋ，Ｇ，Ｃで内右部４９Ｒを編成する。このＳ２は、図２（Ｂ）の３番〜４番編成に相当する。Ｓ２では、ＦＢの編針Ｂの外右部４０Ｒの編目、あるいはＦＢの編針Ａよりも左側の編針に係止される本体右部の編目にタックやニットを行なって、内右部４９Ｒをインステップカバー部３に接続しても良い。仮に、外側編地部４０と内側編地部４９とを別個の編糸で編成するのであれば、両部４０，４９の編目同士を重ね合わせて、内側編地部４９をインステップカバー部３に接続しても良い。
【００４４】
Ｓ３では、ＦＢの編針Ｃ，Ｇ，Ｋで内右部４９Ｒを編成した後、ＢＢの編針Ｌ，Ｈ，Ｄで内左部４９Ｌを編成すると共に、インステップカバー部３の本体左部を編成する（本体左部の編目の一部は、ＢＢの編針Ａに示されている）。このＳ３は、図２（Ｂ）の４番〜７番編成に相当する。
【００４５】
Ｓ４では、ＢＢの編針Ｄ，Ｈ，Ｌに係止される内左部４９Ｌの編目をそれぞれ、ＦＢの編針Ｅ，Ｉ，Ｍに移動させる。これは、次のＳ５において外左部４０Ｌを編成する準備のための操作である。また、Ｓ５では、ＢＢの編針Ｃ，Ｅ，Ｇ，Ｉ，Ｋ，Ｍで外左部４０Ｌを編成する（ＢＢの編針Ａの編目は、インステップカバー部３の編目）。その際、Ｓ４において内左部４９Ｌの編目をＦＢに逃がしておいたため、外左部４０Ｌに内左部４９Ｌが編み込まれることを回避することができる。これらＳ４，Ｓ５は、図２（Ｂ）の８番編成に相当する。
【００４６】
Ｓ５以降は、Ｓ４，Ｓ５と同様の考え方により、外右部４０Ｒを編成する（図２（Ｂ）の９番編成に相当）。具体的には、Ｓ５でＦＢに係止される内右部４９Ｒと内左部４９Ｌの編目をＢＢの空針に移動させ、ＦＢの編針Ｌ，Ｊ，Ｈ，Ｆ，Ｄ，Ｂで外右部４０Ｒを編成する。その際、ＦＢには内右部４９Ｒと内左部４９Ｌが係止されていないため、内右部４９Ｒと内左部４９Ｌが外右部４０Ｒに編み込まれることがない。この外右部４０Ｒの編成と、上述したＳ５の外左部４０Ｌの編成とで、外左部４０Ｌと外右部４０Ｒとが編成され、両部４０Ｌ，４０Ｒが編幅方向の踵側で繋がった状態になる。
【００４７】
以上説明した編成と同様の編成を繰り返し、図２（Ａ）に示すような所望の大きさのポケット部４を編成したら、外側編地部４０のウエール方向端部を伏目処理し、ポケット部４を完成させる。一方、内側編地部４９の内右部４９Ｒのウエール方向終端部はＦＢに係止され、内左部４９Ｌのウエール方向終端部はＢＢに係止された状態となっている。そこで、ＦＢで引き返し編成を行なうことでソールカバー部２の右側部分にあたる底右部を形成すると共に、ＢＢで引き返し編成を行なうことでソールカバー部の左側部分にあたる底左部を形成する。その結果、内側編地部４９のウエール方向にソールカバー部２が連続して編成され、ソールカバー部２と内側編地部４９とが繋がった状態となる。
【００４８】
最後に、ソールカバー部２の長さ方向に延びる中央ラインで底右部と底左部とを接続し、シューズアッパー１を完成させる。底右部と底左部との接続方法は特に限定されず、例えば公知の伏目処理を利用することができる。あるいは、前後の針床に交互に編目を編成する前後ニットで底右部と底左部とを接続しても良い。目移しを必要としない前後ニットを用いることで、目移しを必須とする伏目処理よりも極めて短時間で底右部と底左部とを接続できる。シューズアッパー１の編成後に熱処理によって接続部（即ち、シューズアッパー１の編終り部）が融着されるので、どのような接続方法を利用して接続部を形成しても、接続部の接続強度は確保される。また、接続部はシューズアッパー１の着用時に見えない位置にあるため、接続部によってシューズアッパー１の見栄えが損なわれることはない。
【００４９】
なお、本編成方法Ｉでは、内側編地部４９の編目数が外側編地部４０の編目数よりも少ない状態、つまり内側編地部４９の目面（ｌｏｏｐ  ｑｕａｌｉｔｙ）が外側編地部４０の目面よりも粗い状態となっている。しかし、内側編地部４９は、シューズアッパー１の外側から見えない位置にあるため、目面の相違によってシューズアッパー１の見栄えが損なわれることはない。但し、４枚ベッド横編機を用いれば、両編地部４０，４９の目面を同じにすることができる。
【００５０】
（効果）
以上説明した編成方法Ｉによれば、図１に示すポケット口４ｉがソールカバー部２側に向いたポケット部４を、シューズアッパー１の踵に形成することができる。もちろん、シューズアッパー１の爪先にポケット部４を形成する場合も、編成方法Ｉの手順と同様の手順によって、ポケット口４ｉが下側を向いたポケット部４を形成することができる。
【００５１】
また、編成方法Ｉでは、シューズアッパー１の高さ方向に編成を進行させることで、増し目や減らし目の形成、複雑な目移しなどを殆ど、あるいは全く行なうことなくシューズアッパー１を編成することができる。そのため、シューズアッパー１を生産性良く製造することができる。
【００５２】
≪編成方法ＩＩ；ソールカバー部２→インステップカバー部３≫
編成方法ＩＩでは、ソールカバー部２の中央部の位置から編成を開始し、インステップカバー部のシューズ開口部５の位置で編成を終了する例を説明する。その説明にあたり、編成方法Ｉの説明に用いた図２（Ａ）を参照する。
【００５３】
編成方法ＩＩでは、図２（Ａ）の紙面上側から下側に向かって編成を行なう。具体的にはまず、前後の針床に編出し部を編成する。編出し部は、ソールカバー部２の中央部の位置に対応する。その編出し部を基に、ソールカバー部２の底左部と底右部をそれぞれ、別々の針床で編成する。
【００５４】
ソールカバー部２が完成したら、ソールカバー部２の踵側の一部の領域において、ソールカバー部２が係止されていない空針に編出し部を編成する。その編出し部は、ポケット部４の外側編地部４０（インステップカバー部３の踵側の一部）の始端であり、ポケット口４ｉを形成する。以降は、図２（Ｃ），図２（Ｂ）を参照して説明した編成方法Ｉと同様に、踵側で左右が繋がる内側編地部４９を編成すると共に、同じく踵側で左右が繋がる外側編地部４０を編成する。もちろん、ＦＢ（ＢＢ）で外側編地部４０を編成する際、内側編地部４９が外側編地部４０に編み込まれないように、内側編地部４９の編目をＢＢ（ＦＢ）に逃がしておく。また、外側編地部４０と内側編地部４９とは、接合ラインｂ２，ｂ３の位置で繋げておく。
【００５５】
ポケット部４の編成が終了したら、引き返し編成、筒状編成、およびＣ字状編成を使い分けて、シューズアッパー１を完成させる。以上説明した編成方法ＩＩでは、シューズ開口部５がシューズアッパー１の編終わりとなる。
【００５６】
≪編成方法ＩＩＩ；爪先→踵≫
編成方法ＩＩＩでは、図１に示すシューズアッパー１の爪先の位置から編成を開始し、踵の位置で編成を終了する例を、図４の編成手順の模式図、および図５のポケット部の編成工程図に基づいて説明する。図４および図５の見方はそれぞれ、図２（Ａ）および図３と同様である。
【００５７】
図４は、爪先から編成を開始する場合におけるシューズアッパー１の左側部分の編成手順を示す模式図であり、紙面下側から上側に向かって編成を行なう。シューズアッパー１の右側部分は、図４の紙面奥側に配置されていると考えて良く、紙面右側の位置でソールカバー部２の底左部と底右部とが繋がっており、紙面左側の位置でインステップカバー部の本体左部の甲部と本体右部の甲部とが繋がっている。
【００５８】
（編成の概要）
図４に示す編成方法ＩＩＩではまず、爪先からポケット部４の形成直前までの部分は、前後の針床を用いた引き返し編成、筒状編成およびＣ字状編成を使い分けて編成する。次いで、本体左部と本体右部とに跨るポケット部４を編成しながら、インステップカバー部３とソールカバー部２を編成し、シューズアッパー１を完成させる。ポケット部４の編成手順については、図５の編成工程図を参照して後述する。
【００５９】
編成方法ＩＩＩに従えば、シューズアッパー１の左側部分と右側部分との繋ぎ目がシューズアッパー１の踵の位置に配置され、ソールカバー部２の中央部には繋ぎ目がないため、着用感に優れるシューズアッパー１（シューズ）を製造することができる。
【００６０】
（ポケット部の編成）
次に、ポケット部４の具体的な編成手順を、図５の編成工程図に基づいて説明する。図５のＴ０には、ポケット部４の直前の位置まで編成したインステップカバー部３とソールカバー部２とが、前後の針床に係止された状態が示されている。点線は、両カバー部３，２の境界を示しており、当該境界には繋ぎ目がない。具体的には、ＦＢの編針Ｂ，Ｄ，Ｆ，Ｈに本体左部の編目が、ＦＢの編針Ｊ，Ｌに底左部の編目が、ＢＢの編針Ｃ，Ｅ，Ｇ，Ｉに本体左部の編目が、ＢＢの編針Ｋ，Ｍに底右部の編目が係止されている。この状態からポケット部４の編成を開始する。なお、図５における一点鎖線は、ポケット部４が設けられる部分と設けられない部分との境界を示しており、図５ではポケット部４が設けられない部分の編成については省略している。
【００６１】
Ｔ１では、編幅方向の一端側（紙面右側）に配されるソールカバー部２の中央部を折り返し端とするＣ字状編成によって、Ｔ０に示す編目のウエール方向に続くインステップカバー部３とソールカバー部２を編成する。また、両部２，３の編成と共に、ポケット部４の内側編地部４９のうち、内左部４９Ｌの編出し部（図４の接合ラインｂ１の爪先側の一部）となる掛け目を、ＦＢの編針Ｃ，Ｇに編成する。インステップカバー部３はポケット部４の外側編地部４０を兼ねている。
【００６２】
Ｔ２では、外右部４０Ｒを編成すると共に、内側編地部４９の内右部４９Ｒの編出し部となる掛け目を、ＢＢの編針Ｄ，Ｈに編成する。
【００６３】
Ｔ３では、ＦＢの編針Ｃ，Ｇに係止される内左部４９Ｌの編目をそれぞれ、ＢＢの編針Ｂ，Ｆに移動させた後、ＦＢの編針Ｌ，Ｊ，Ｈ，Ｆ，Ｄ，Ｂで外左部４０Ｌを編成する。Ｔ３において内左部４９ＬをＢＢに移動させておくことで、内左部４９Ｌが外左部４０Ｌに編み込まれることを回避できる。
【００６４】
Ｔ４では、Ｔ３においてＢＢに移動させておいた内左部４９Ｌの編目を元の編針（ＦＢの編針Ｃ，Ｇ）に戻した後、内左部４９Ｌとソールカバー部２の底左部（ＦＢの編針Ｊ，Ｌを参照）を編成する。そして、Ｔ５では、ソールカバー部２の底右部（ＢＢの編針Ｍ，Ｋを参照）と内右部４９Ｒを編成する。このＴ４，Ｔ５によって、ソールカバー部２と、ソールカバー部２に連続する内側編地部４９が編成される。ここで、一点鎖線の左側では、内側編地部４９と外側編地部４０とが繋がっている。
【００６５】
Ｔ６では、ＢＢの編針Ｄ，Ｈに係止される内左部４９Ｒの編目をそれぞれ、ＦＢの編針Ｅ，Ｉに移動させた後、ＢＢの編針Ｃ，Ｅ，Ｇ，Ｉで外右部４０Ｒを編成する。内右部４９ＲをＦＢに逃がしておくことで、内左部４９Ｒが外右部４０Ｒに編み込まれることを回避できる。
【００６６】
以上説明したように、外側編地部４０を編成する際に内側編地部４９を逃がしつつ、外側編地部４０と内側編地部４９とを編成することで、外側編地部４０と内側編地部４９を並行して編成することができる。
【００６７】
≪編成方法ＩＶ；踵→爪先≫
編成方法ＩＶでは、図１に示すシューズアッパー１の踵の位置から編成を開始し、爪先の位置で編成を終了する例を説明する。その説明にあたり、編成方法ＩＩＩの説明に用いた図４，５を利用する。
【００６８】
編成方法ＩＶでは、図４の紙面上側から下側に向かって編成を行なう。具体的にはまず、インステップカバー部３の踵の位置に対応する編出し部を前後の針床に編成する。この編出し部を基に、インステップカバー部３の左側部分と右側部分をそれぞれ、別々の針床で数コース分編成する。
【００６９】
次いで、編成したインステップカバー部３とは異なる独立した編出し部を編成する。この編出し部は、ポケット部４の内側編地部４９と、ソールカバー部２を編成する起点となる。以降は、図５に示す要領でポケット部４を編成する。その際、図４の接合ラインｂ２，ｂ１では、ニットやタック、重ね目などを利用して内側編地部４９と外側編地部４０とを接続する。
【００７０】
ポケット部４の編成が終了したら、引き返し編成や、筒状編成、Ｃ字状編成を使い分けて、シューズアッパー１の爪先まで編成を行ない、シューズアッパー１の左側部分と右側部分とを接続して、シューズアッパー１を完成させる。
【００７１】
以上説明した編成方法ＩＶに従えば、シューズアッパー１の左右の繋ぎ目がシューズアッパー１の爪先の位置に配置されるソールカバー部２には左右の繋ぎ目がないため、着用感に優れるシューズアッパー１（シューズ）を製造することができる。
【００７２】
≪シューズアッパーの仕上げ≫
以上説明したいずれかの編成方法によるシューズアッパー１の編成が終了したら、シューズアッパー１全体を足型にはめると共に、ポケット部４の内部に補強部材を挿入する。そして、ポケット部４のポケット口４ｉが隠れるようにソールカバー部２にアウターソールを取り付け、シューズアッパー１全体を熱処理して、シューズアッパー１を立体的に成形する。その熱処理によって、ソールカバー部２の底左部と底右部との接続部が融着されると共に、ポケット口４ｉが閉じられる。その結果、踵の位置にヒールカウンタを備えるシューズを製造することができる。
【００７３】
＜実施形態２＞
実施形態１において、ポケット部４を構成する外側編地部４０は、インステップカバー部３とソールカバー部２との境界位置までの長さとした。これに対して、図６に示すように、外側編地部４０に、上記境界位置から突出する突出部４０１を形成しても良い。例えば、図６（Ａ）に示すように、爪先側の突出量が短く、踵側の突出量が長い突出部４０１を外側編地部４０に形成することが挙げられる。突出部４０１を設けることで、ポケット部４の内部に補強部材を収納させ、突出部４０１を爪先側に折り曲げることで、突出部４０１でポケット口４ｉを確実に閉じることができる。もちろん、突出部４０１を爪先側に折り曲げた後、さらに突出部４０１の先端をポケット部４の内部に折り込んでも良い。このような突出部４０１を外側編地部４０に設けることで、アウターソールの取り付け時にポケット部４から補強部材が脱落し難くでき、アウターソールの取り付け作業を容易にすることできる。ここで、突出部４０１に、紙面縦方向に延びる複数のスリットを形成すれば、突出部４０１でポケット口４ｉを閉じるときに、外側編地部４０に皺が寄ることを抑制できる。
【００７４】
その他、図６（Ｂ）に示すように、のこぎり歯状の突出部４０２を外側編地部４０に設けても良い。その場合、突出部４０２でポケット部のポケット口４ｉを閉じるときに、インステップカバー部３に皺が寄ることを抑制できる。また、のこぎり歯状の突出部４０２であれば、突出部４０２を構成する編地が重なることを回避できるので、編地の重なりによってシューズアッパー１の履き心地が損なわれることがない。
【符号の説明】
【００７５】
１  シューズアッパー
２  ソールカバー部
３  インステップカバー部
４  ポケット部  ４ｉ  ポケット口  ４０１，４０２  突出部
４０  外側編地部    ４０Ｌ  外左部  ４０Ｒ  外右部
４９  内側編地部    ４９Ｌ  内左部  ４９Ｒ  内右部
５  シューズ開口部    ５ｉ  履き口  ５ｓ  スリット
６０  鳩目孔
ｂ１，ｂ２，ｂ３  接合ライン
【図１】
0006053925.tif 000002
【図２】
0006053925.tif 000003
【図３】
0006053925.tif 000004
【図４】
0006053925.tif 000005
【図５】
0006053925.tif 000006
【図６】
0006053925.tif 000007